【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
導電路における検出対象区間の両端に定めた第１接続位置と第２接続位置との間の電位差に関連する信号を検出する検出装置であって、
コンデンサと、
入力端子を有し、入力端子に与えられる電位に対応する検出信号を生成する検出信号生成手段と、
予め定める基準電位を有する基準端子と、
第１接続位置で導電路にコンデンサの一端子を電気的に接続し、かつ第２接続位置で導電路にコンデンサの他端子を電気的に接続する第１接続状態と、アナログデジタル変換手段の入力端子にコンデンサの一端子を電気的に接続し、かつ基準端子にコンデンサの他端子を電気的に接続する第２接続状態とを選択的に切換える切換手段とを含むことを特徴とする検出装置。
【請求項２】
前記切換手段は、第１接続状態において、複数組の第１および第２接続位置のうちのいずれかの組における導電路と、コンデンサとを選択的に接続することを特徴とする請求項１記載の検出装置。
【請求項３】
前記切換手段は、前記第１接続状態と第２接続状態とに加えて、第１接続位置における導電路に検出手段の入力端子を電気的に接続する第３接続状態とを選択的に切換えることを特徴とする請求項１または２記載の検出装置。
【請求項４】
前記基準端子に、複数の予め定める基準電位のうちのいずれか１つの予め定める基準電位を与える基準電位設定手段をさらに含むことを特徴とする請求項１〜３のいずれか１つに記載の検出装置。
【請求項５】
前記基準電位設定手段は、第２接続状態において、所定の接続端子に接地電位を与え、検出手段によって生成された所定の検出信号を保持し、所定のデジタル信号を保持した後、切換手段が第１接続状態から第２接続状態にすると、前記保持している所定の検出信号に対応する電位の極性を反転させて所定の接続端子に与えることを特徴とする請求項４記載の検出装置。
【請求項６】
導電路における検出対象区間の両端に定めた第１接続位置と第２接続位置との間の電位差に関連する信号を検出する電位差検出方法であって、
第１接続位置で導電路にコンデンサの一端子を電気的に接続し、かつ第２接続位置で導電路にコンデンサの他端子を電気的に接続する第１接続状態と、
アナログデジタル変換手段の入力端子にコンデンサの一端子を電気的に接続し、かつ予め定める基準電位を有する基準端子にコンデンサの他端子を電気的に接続する第２接続状態とを選択的に切換えることを特徴とする電位差検出方法。
【手続補正２】
【補正対象書類名】明細書
【補正対象項目名】発明の名称
【補正方法】変更
【補正の内容】
【発明の名称】検出装置および電位差検出方法
【手続補正３】
【補正対象書類名】明細書
【補正対象項目名】０００１
【補正方法】変更
【補正の内容】
【０００１】
本発明は、たとえば抵抗の両端部間の電圧など、導電路における２つの位置間の電位差に関連する信号を検出する検出装置および電位差検出方法に関する。
【手続補正４】
【補正対象書類名】明細書
【補正対象項目名】０００８
【補正方法】変更
【補正の内容】
【０００８】
本発明の目的は、簡単な構成で、導電路における検出対象区間の両端に定めた第１接続位置と第２接続位置との間の電位差に関連する信号を検出することができ、また検出の自由度の向上された検出装置および電位差検出方法を提供することである。
【手続補正５】
【補正対象書類名】明細書
【補正対象項目名】０００９
【補正方法】変更
【補正の内容】
【０００９】
本発明は、導電路における検出対象区間の両端に定めた第１接続位置と第２接続位置との間の電位差に関連する信号を検出する検出装置であって、
コンデンサと、
入力端子を有し、入力端子に与えられる電位に対応する検出信号を生成する検出信号生成手段と、
予め定める基準電位を有する基準端子と、
第１接続位置で導電路にコンデンサの一端子を電気的に接続し、かつ第２接続位置で導電路にコンデンサの他端子を電気的に接続する第１接続状態と、アナログデジタル変換手段の入力端子にコンデンサの一端子を電気的に接続し、かつ基準端子にコンデンサの他端子を電気的に接続する第２接続状態とを選択的に切換える切換手段とを含むことを特徴とする検出装置である。
【手続補正６】
【補正対象書類名】明細書
【補正対象項目名】００１４
【補正方法】変更
【補正の内容】
【００１４】
また本発明は、導電路における検出対象区間の両端に定めた第１接続位置と第２接続位置との間の電位差に関連する信号を検出する電位差検出方法であって、
第１接続位置で導電路にコンデンサの一端子を電気的に接続し、かつ第２接続位置で導電路にコンデンサの他端子を電気的に接続する第１接続状態と、
アナログデジタル変換手段の入力端子にコンデンサの一端子を電気的に接続し、かつ予め定める基準電位を有する基準端子にコンデンサの他端子を電気的に接続する第２接続状態とを選択的に切換えることを特徴とする電位差検出方法である。
【手続補正７】
【補正対象書類名】明細書
【補正対象項目名】００１５
【補正方法】変更
【補正の内容】
【００１５】
本発明によれば、切換手段が第１接続状態に切換えると、第１接続位置の導電路にコンデンサの一端子が接続され、かつ第２接続位置の導電路にコンデンサの他端子が接続される。これによって第１接続位置と第２接続位置との間に電位差がある場合には、コンデンサに電荷が蓄積され、コンデンサの両端子間に前記電位差に対応する電圧が発生する。切換手段が、第１接続状態から第２接続状態に切換えると、コンデンサの一端子が検出信号生成手段の入力端子に電気的に接続され、コンデンサの他端子が予め定める基準電位を有する所定の接続端子に電気的に接続される。つまり検出信号生成手段の入力端子には、予め定める基準電位とコンデンサの両端子間の電圧を加算した電位が与えられる。検出信号生成手段は、入力端子に与えられる電位に対応する所定の検出信号を生成するので、これによって導電路における第１接続位置と第２接続位置との間の電位差に関連する信号を検出することができる。たとえば予め定める基準電位を接地電位として、予め定める検出抵抗の両端部間の電位差に関連する信号を検出すると、この検出信号と予め定める検出抵抗の抵抗値とによって、検出抵抗に流れる電流を計算することができる。本発明では差動アンプを用いないので、電位差ΔＶのレベルを大きく取ることができる。したがって、測定可能な電位差ΔＶの範囲が広がり、測定の自由度が向上される。
【手続補正８】
【補正対象書類名】明細書
【補正対象項目名】００１７
【補正方法】変更
【補正の内容】
【００１７】
また本発明によれば、切換手段によって複数組の第１および第２接続位置のうちのいずれかの組における導電路と、コンデンサとを選択的に接続するので、複数組の第１および第２接続位置の間の電位差に関連する信号を得ることができる。複数組の第１および第２接続位置の間の電位差に関連する信号を得る場合に、コンデンサおよび検出信号生成手段を共通で利用することができ、装置が大形化しない。
【手続補正９】
【補正対象書類名】明細書
【補正対象項目名】００１８
【補正方法】変更
【補正の内容】
【００１８】
また本発明によれば、第３接続状態では、切換手段によって第１接続位置の導電路に検出信号生成手段の入力端子が電気的に接続される。これによって、検出信号生成手段の入力端子には、第１接続位置の電位が与えられる。入力端子に第１接続位置の電位が与えられると、検出信号生成手段は、第１接続位置の電位に対応する検出信号を生成する。導電路における２地点間の電位差に関連する信号だけではく、導電路の１つの位置における電位に対応する信号を検出することができるので、装置の利用範囲を広げることができる。
【手続補正１０】
【補正対象書類名】明細書
【補正対象項目名】００１９
【補正方法】変更
【補正の内容】
【００１９】
また本発明によれば、基準電位設定手段によって、基準端子に予め定める基準電位のうちのいずれか１つの予め定める基準電位を与えることができる。これによって所定の接続の端子には、たとえば接地電位から予め定める電圧だけオフセットした電位を選択的に与えることができる。基準端子に与えられ電位を変更して、たとえば電子計算機などの処理装置で処理しやすい信号を検出することができる。
【手続補正１１】
【補正対象書類名】明細書
【補正対象項目名】００２０
【補正方法】変更
【補正の内容】
【００２０】
また本発明によれば、切換手段が第１接続状態から第２接続状態に切換えると、基準電位設定手段は、第２接続状態において、所定の接続端子に接地電位を与える。基準電位設定手段は、所定の接続端子に接地電位を与えた場合に、検出信号生成手段によって生成された所定の検出信号を保持する。基準電位設定手段が、この所定の検出信号を保持した後、切換手段が第１接続状態から第２接続状態にすると、保持している所定の検出信号に対応する電位の極性を反転させて所定の接続端子に与える。これによって、はじめに第１接続状態でコンデンサの両端部に発生する電圧と、次に第１接続状態でコンデンサの両端部に現れる電圧との差分に対応する所定の検出信号を得ることができる。つまり導電路における検出対象区間の両端に定めた第１接続位置と第２接続位置との間の電位差の変化を検出することができる。
【手続補正１２】
【補正対象書類名】明細書
【補正対象項目名】００２２
【補正方法】変更
【補正の内容】
【００２２】
図１は、本発明の実施の一形態の検出装置２０を示す図である。検出装置２０は、導電路における検出対象区間の両端に定めた第１接続位置と第２接続位置との間の電位差に関連する信号を検出する。具体的には検出装置２０は、直流電圧が印加される電子回路である負荷に、直列に接続される検出抵抗Ｒｓの両端に定めた第１接続位置２１と、第２接続位置２２との間の電位差に関連する検出信号を生成する、すなわち第１接続位置２１と第２接続位置２２との間の電位差に関連する信号を検出する。導電路に電流が流れているとき、第１検出位置２１の電位は、第２検出位置２２の電位に比べて電圧ΔＶだけ高い。本実施の形態の検出装置２０は、アナログデジタルコンバータ（Analog Digital
Converter：略称ＡＤＣ）に適用される。
【手続補正１３】
【補正対象書類名】明細書
【補正対象項目名】００２３
【補正方法】変更
【補正の内容】
【００２３】
検出装置２０は、コンデンサ２３と、アナログデジタル（Analog Digital：略称ＡＤ）変換手段２４と、切換手段２５と、基準端子２６と、バッファ２７とを含む。コンデンサ２３は、２つの接続端子２８，２９を有する。この２つの接続端子２８，２９間に電圧を印加すると、コンデンサ２３は飽和状態において前記印加した電圧に対応した電荷を蓄積する。
【手続補正１４】
【補正対象書類名】明細書
【補正対象項目名】００２４
【補正方法】変更
【補正の内容】
【００２４】
アナログデジタル変換手段２４は、検出信号生成手段であり、入力端子３０を有する。アナログデジタル変換手段２４は、入力端子３０に与えられる電位に対応する検出信号を生成する。アナログデジタル変換手段２４は、たとえば積分方式のアナログデジタル変換器によって実現される。本実施の他の形態において、アナログデジタル変換手段は、たとえば逐次比較方式のアナログデジタル変換器および並列比較方式のアナログデジタル変換器によって実現されてもよい。前記検出信号は、所定のデジタル信号である。アナログデジタル変換手段２４は、入力端子３０に与えられる電位を、グラウンドからの電圧信号に変換し、この電圧信号をサンプリングおよび量子化し、さらにコード化して、前記入力端子３０に与えられる電位を表す所定のデジタル信号を生成する。
【手続補正１５】
【補正対象書類名】明細書
【補正対象項目名】００２７
【補正方法】変更
【補正の内容】
【００２７】
第１スイッチ３２は、２つの接続端子３４，３５を有する。第１スイッチ３２は、２端子スイッチによって実現される。第１スイッチ３２の一端子３４は、検出抵抗Ｒｓの一端部ａに電気的に接続され、第１スイッチ３２の他端子３５は、コンデンサ２３の一端子２８に電気的に接続される。第１スイッチ３２は、制御部３１から与えられる指令に基づいて、一端子３４および他端子３５を選択的に接続する。つまり第１スイッチ３２は、制御部３１から与えられる指令に基づいて、一端子３４および他端子３５を電気的に接続する、または一端子３４および他端子３５の間を開放して、一端子３４および他端子３５を絶縁する。第１スイッチ３２は、たとえば電界効果トランジスタなどの半導体スイッチによって実現される。半導体スイッチは、機械スイッチと比較して応答速度が早く、またたとえばＩＣ（Integrated Circuit）チップに容易に形成することができる。
【手続補正１６】
【補正対象書類名】明細書
【補正対象項目名】００３２
【補正方法】変更
【補正の内容】
【００３２】
次に検出抵抗Ｒｓの両端部ａ，ｂ間の電位差ΔＶに関連する検出信号を生成する検出装置２０の動作について説明する。
【手続補正１７】
【補正対象書類名】明細書
【補正対象項目名】００３３
【補正方法】変更
【補正の内容】
【００３３】
図２は、検出装置２０において制御部３１から第１スイッチ３２および第２スイッチ３３に与えられる指令である制御信号を示すタイミングチャートである。第１スイッチ３２は、制御部３１からロー（Ｌ）レベルの制御信号が与えられると、一端子３４および他端子３５間を開放し、制御部３１からハイ（Ｈ）レベルの信号が与えられると、一端子３４および他端子３５を接続する。また第２スイッチ３３は、制御部３１からロー（Ｌ）レベルの制御信号が与えられると、共通接点部３６と第２個別接点部３８とを接続し、制御部３１からハイ（Ｈ）レベルの制御信号が与えられると、共通接点部３６と第１個別接点部３７とを接続する。
【手続補正１８】
【補正対象書類名】明細書
【補正対象項目名】００３５
【補正方法】変更
【補正の内容】
【００３５】
検出動作を開始すると、切換手段２５が第２接続状態から第１接続状態に切換える。具体的には時刻ｔ１で、制御部３１が、第１スイッチ３２にハイレベルの制御信号を与え、また第２スイッチ３３にハイレベルの制御信号を与える。これよって、時刻ｔ１で第１スイッチ３２の接点が閉じられ、つまり第１スイッチ３２の一端子３４および他端子３５を接続され、第２スイッチ３３の共通接点部３６と第１個別接点部３７とが接続される。
【手続補正１９】
【補正対象書類名】明細書
【補正対象項目名】００４０
【補正方法】変更
【補正の内容】
【００４０】
検出装置２０は、第２の従来の技術の測定装置７のように複雑な回路構成を有する差動アンプを用いず、アナログデジタル変換手段２４に加えて、コンデンサ２３、第１スイッチ３２、第２スイッチ３３および入力バッファ２７といった簡単な回路構成によって実現することができる。したがって、検出装置２０の構成を１つのＩＣ（Integrated Circuit）チップに容易に、実装することができる。同一のＩＣチップに実装することによって、個々の素子間の配線、たとえばコンデンサ２３と第１スイッチ３２との間の配線などを短くすることができる。配線を短くすることができるので、配線を伝送される信号の遅延を低減することができ、測定精度を向上させることができる。また検出装置２０を１つのＩＣチップに実装することによって、製造コストを低減することができる。
【手続補正２０】
【補正対象書類名】明細書
【補正対象項目名】００４１
【補正方法】変更
【補正の内容】
【００４１】
切換手段２５は、第１接続状態および第２接続状態に加えて第３接続状態に切換えることができる。第３接続状態では制御部３１は、第１スイッチ３２にハイレベルの信号を与える、また第２スイッチ３３にローレベルの制御信号を与える。これによって第１スイッチ３２の一端部３４および他端部３５間が電気的に接続され、第２スイッチ３３の共通接点部３６が第２個別接点部３８に電気的に接続される。第３検出状態では、検出抵抗Ｒｓの一端部ａの電位が、バッファ２７を介してアナログデジタル変換手段２４の入力端子３０に与えられる。アナログデジタル変換手段２４では、入力端子３０に与えられる電位に対応する検出信号を生成するので、検出抵抗Ｒｓの一端部ａの電位に対応する所定のデジタル信号を生成することができる。このように、導電路における２地点間の電位差に関連する検出信号だけではく、導電路の１つの位置における電位に対応する信号を検出することができるので、装置の利用範囲を広げることができる。
【手続補正２１】
【補正対象書類名】明細書
【補正対象項目名】００４２
【補正方法】変更
【補正の内容】
【００４２】
また第２接続状態では、コンデンサ２３が検出抵抗Ｒｓから完全に切り離され、検出装置２０の入力側と出力側とが絶縁される。これによってたとえば入力側、つまり検出抵抗Ｒｓの両端部ａ、ｂ間の電位差ΔＶが変動しても、この変動が出力側、つまりアナログデジタル変換手段２４に伝達されないので、アナログデジタル変換手段２４では、安定して所定の信号を検出することができる。
【手続補正２２】
【補正対象書類名】明細書
【補正対象項目名】００４４
【補正方法】変更
【補正の内容】
【００４４】
図３は、本発明の実施の他の形態の検出装置５０の構成を示す図である。本実施の形態の検出装置５０は、前述した図１に示す検出装置２０の切換手段２５において、第１スイッチ３２を第３スイッチ（ＳＷ３）５１に代えた構成であって、その他の構成は同様であるので、同様な構成には同様な参照符号を付して、重複する説明を省略する。本実施の形態の検出装置５０は、前述した検出装置２０と同様な効果を達成することができる。
【手続補正２３】
【補正対象書類名】明細書
【補正対象項目名】００４５
【補正方法】変更
【補正の内容】
【００４５】
本実施の形態では切換手段２５は、第１接続状態と第２接続状態とを選択的に切換える。第３スイッチ５１は、第２スイッチ３３と同様に３端子スイッチによって実現される。第３スイッチ５１は、１つの共通接点部５２と、第１および第２個別接点部５３，５４とを有する。共通接点部５２には、コンデンサ２３の一端子２８が電気的に接続される。第１個別接点部４２は、検出抵抗Ｒｓの一端部ａに電気的に接続される。第２個別接点部４３は、バッファ２７の入力端子３９に電気的に接続される。第３スイッチ５１は、制御部３１から与えられる指令に基づいて、共通接点部５２と第１個別接点部５３とを電気的に接続し、また共通接点部５２と第２個別接点部５４とを電気的に接続する。第３スイッチ５１は、たとえば半導体スイッチによって実現される。
【手続補正２４】
【補正対象書類名】明細書
【補正対象項目名】００４６
【補正方法】変更
【補正の内容】
【００４６】
第１接続状態では、第３スイッチ５１の共通接点部５２と第１個別接点部５３とが電気的に接続され、かつ第２スイッチ３３の共通接点部３６と第１個別接点部３７とが電気的に接続される。第２接続状態では、第３スイッチ５１の共通接点部５２と第２個別接点部５３とが電気的に接続され、かつ第２スイッチ３３の共通接点部３６と第２個別接点部３８とが電気的に接続される。検出装置５０において、検出抵抗Ｒｓの両端部ａ，ｂ間の電位差ΔＶに関連する検出信号を生成する動作は、前述した検出装置２０における動作と同様であるので、その説明を省略する。
【手続補正２５】
【補正対象書類名】明細書
【補正対象項目名】００４７
【補正方法】変更
【補正の内容】
【００４７】
検出装置５０では、第１接続状態においてバッファ２７の入力端子３９がコンデンサ２３の一端部２８から完全切り離される。したがって第１接続状態において、アナログデジタル変換手段２４と、検出抵抗Ｒｓとを電気的に完全に切り離して絶縁状態とすることができる。また第２接続状態においても、アナログデジタル変換手段２４と、検出抵抗Ｒｓとを電気的に完全に切り離して絶縁状態とすることができる。したがって、アナログデジタル変換手段２４によって所定のデジタル信号を生成するときに、検出抵抗Ｒｓの両端部間の電圧の変動によって、前記生成されるデジタル信号が影響を受けない。これによって、アナログデジタル変換手段２４は、コンデンサ２３の両端部２８，２９間の電圧を、予め定める基準電位に加算した電位を、精度よく所定のデジタル信号に変換することができる。
【手続補正２６】
【補正対象書類名】明細書
【補正対象項目名】００４８
【補正方法】変更
【補正の内容】
【００４８】
図４は、本発明のさらに他の実施の形態の検出装置６０の構成を示す図である。本実施の形態の検出装置６０は、前述した図１に示す検出装置２０における切換手段２５を切換手段６１に代えた構成であり、他の構成は検出装置２０と同様であるので、同様な構成には同様な参照符号を付して、重複する説明を省略する。切換手段６１は、制御部３１、第１スイッチ３２、第２スイッチ３３、第１選択接続手段６２および第２選択接続手段６３を含む。つまり切換手段６１は、前述した実施の形態における切換手段２５の構成に加えて、第１選択接続手段６２および第２選択接続手段６３を含む。制御部３１は、第１スイッチ３２、第２スイッチ３３、第１選択接続手段６２および第２選択接続手段６３を制御する。
【手続補正２７】
【補正対象書類名】明細書
【補正対象項目名】００５４
【補正方法】変更
【補正の内容】
【００５４】
複数の検出抵抗Ｒｓの両端部間の電位差ΔＶに関連する検出信号を生成する場合であっても、検出装置５０のように構成することによって、コンデンサ２３およびアナログデジタル変換手段２４をそれぞれ複数設ける必要がなくなる。したがって、装置を大形化することがなく、またコンデンサ２３およびアナログデジタル変換手段２４を共用して、効率的に信号を検出することができる。
【手続補正２８】
【補正対象書類名】明細書
【補正対象項目名】００５５
【補正方法】変更
【補正の内容】
【００５５】
図５は、本発明のさらに他の実施の形態の検出装置７０の構成を示す図である。本実施の形態の検出装置７０は、前述した図４に示す検出装置６０の構成に加えて、基準電位設定手段７１を含み、他の構成は検出装置６０と同様であるので、同様な構成には同様な参照符号を付して、重複する説明を省略する。
【手続補正２９】
【補正対象書類名】明細書
【補正対象項目名】００５９
【補正方法】変更
【補正の内容】
【００５９】
このように基準電位設定手段７１では、制御部３１が第４スイッチ７２を切換えることによって、基準端子２６に与えられる予め定める基準電位を変更することができる。本実施の形態の検出装置７０では、接地電位にオフセット電圧である直流電圧源７３の電圧を加えた状態におけるコンデンサ２３の一端部２８の電位を、アナログデジタル変換手段２４によって所定のデジタル信号に変換することができる。このように、基準端子２６の電位を変更することができるので、たとえば電子計算機などの処理装置で処理しやすい信号を検出することができる。このように予め定める基準電位を変更することによって、検出装置７０の利用範囲を広げることができる。
【手続補正３０】
【補正対象書類名】明細書
【補正対象項目名】００６０
【補正方法】変更
【補正の内容】
【００６０】
図６は、本発明のさらに他の実施の形態の検出装置８０の構成を示す図である。本実施の形態の検出装置８０は、前述した図５に示す検出装置７０の基準電位設定手段７１を基準電位差変換手段８１に代えた構成であって、他の構成は検出装置７０と同様であるので、同様な構成には同様な符号を付して、重複する説明を省略する。本実施の形態の計測装置８０の基準電位設定手段８１は、前述した制御部３１および第４スイッチ７２と、デジタルアナログ変換手段８２とを含む。つまり基準電位設定手段８１は、前述した図５に示す検出装置７０の基準電位設定手段７１において、直流電圧源７３をデジタルアナログ変換手段８２に代えた構成である。
【手続補正３１】
【補正対象書類名】明細書
【補正対象項目名】００６２
【補正方法】変更
【補正の内容】
【００６２】
次に検出装置８０における検出動作について説明する。
図７は、検出装置８０において制御部３１から第１スイッチ３２、第２スイッチ３３および第４スイッチ７２に与えられる指令である制御信号を示すタイミングチャートである。前述したように第１スイッチ３２は、制御部３１からロー（Ｌ）レベルの制御信号が与えられると、一端子３４および他端子３５間を開放し、制御部３１からハイ（Ｈ）レベルの信号が与えられると、一端子３４および他端子３５を接続する。また第２スイッチ３３は、制御部３１からロー（Ｌ）レベルの制御信号が与えられると、共通接点部３６と第２個別接点部３８とを接続し、制御部３１からハイ（Ｈ）レベルの制御信号が与えられると、共通接点部３６と第１個別接点部３７とを接続する。
【手続補正３２】
【補正対象書類名】明細書
【補正対象項目名】００６５
【補正方法】変更
【補正の内容】
【００６５】
検出動作を開始すると、切換手段６１が第２接続状態から第１接続状態に切換える。具体的には時刻ｔ１で、制御部３１が、第１スイッチ３２にハイレベルの制御信号を与え、また第２スイッチ３３にハイレベルの信号を与える。これによって、時刻ｔ１で第１スイッチ３２の接点が閉じられ、つまり第１スイッチ３２の一端子３４および他端子３５を接続し、第２スイッチ３３の共通接点部３６と第１個別接点部３７とが接続される。このとき制御部３１は、第４スイッチ７２の接点を閉じた状態を保持する、つまり第４スイッチ３２にローレベルの制御信号を与えて、一端子７４と他端子７５とを接続しておく。また制御部３１は、第１接続選択手段６２および第２接続選択手段６３に指令を与えて、第１スイッチ３２の一端子３４および第２スイッチ３３の第１個別接点部３７を、それぞれ検出抵抗Ｒｓの一端部ａ，ｂに接続させる。
【手続補正３３】
【補正対象書類名】明細書
【補正対象項目名】００６９
【補正方法】変更
【補正の内容】
【００６９】
制御部３１は、時刻ｔ３から予め定める第１の時間Ｔ１の間、第１接続状態を保持する。時刻ｔ３から予め定める第１の時間Ｔ１が経過した時刻ｔ４で、切換手段６１が再び第１接続状態から第２接続状態に切換える。切換手段６１は、時刻ｔ４から予め定める第２の時間Ｔ２の間、第２接続状態を保持する。デジタルアナログ変換手段８２では、時刻ｔ４までに、時刻ｔ２から時刻ｔ３までの間に入力端子３０に与えられた電位に対応してアナログデジタル変換手段２４によって生成された所定のデジタル信号を入力して、この所定のデジタル信号に対応する電位の極性を反転して、出力部８４に与える。これによって時刻ｔ４で、切換手段６１が第１接続状態から第２接続状態に切換えると、コンデンサ２３の一端子２８の電位は、前回検出した電位の極性を反転させた電位と、コンデンサ２３の両端部２８，２９間の電圧を加算した電位となる。つまり今回検出したコンデンサ２３の両端部２８，２９間の電圧から、前記検出したコンデンサ２３の両端部２８，２９間の電圧を減算した電位が得られる。
【手続補正３４】
【補正対象書類名】明細書
【補正対象項目名】００７０
【補正方法】変更
【補正の内容】
【００７０】
第２接続状態では、バッファ２７を介してアナログデジタル変換手段２４の入力端子３０に、コンデンサ２３の一端子２８の電位が与えられる。これによって、今回検出したコンデンサ２３の両端部２８，２９間の電圧から、前記検出したコンデンサ２３の両端部２８，２９間の電圧を減算した電位に対応する所定のデジタル信号がデジタルアナログ変換手段２４によって生成される。このように計測装置８０では、導電路における検出抵抗Ｒｓの両端部ａ，ｂ間の電位の変化を検出することができる。
【手続補正３５】
【補正対象書類名】明細書
【補正対象項目名】００７１
【補正方法】変更
【補正の内容】
【００７１】
図８は、本発明のさらに他の実施の形態における計測装置９０の構成を示す図である。計測装置９０は、前述した図１示す計測装置２０に、過電圧検出手段９１を加えて構成であり、他の構成は検出装置２０と同様であるので、同様な構成には同様な符号を付してその説明を省略する。過電圧検出手段９１は、検出抵抗Ｒｓの両端部ａ，ｂ間の電圧が予め定める電圧を超えているか否かを検出する。過電圧検出手段９１が検出抵抗Ｒｓの両端部ａ，ｂ間の電圧が予め定める電圧を超えていることを検出すると、制御部３１に過電圧検出信号を与える。制御部３１は、過電圧検出信号を受取ると、第１スイッチ３２および第２スイッチ３３を制御して、コンデンサ２３を検出抵抗Ｒｓに並列に接続させない。これによって、過電圧の場合にコンデンサ２３が検出抵抗Ｒｓに並列に接続されることが防止され、装置の故障を防止することができる。過電圧検出手段９１は、たとえばツェナーダイオードによって実現される。ツェナーダイオードでは、逆起電力がしきい値を超えると、急激に電流が流れる。この性質を利用し、ツェナーダイオードを検出抵抗Ｒｓに並列に設けることによって、過電圧を容易に検出することができる。
【手続補正３６】
【補正対象書類名】明細書
【補正対象項目名】００７２
【補正方法】変更
【補正の内容】
【００７２】
本発明のさらに他の実施の形態において、前述した各実施の形態の検出装置２０，５０，６０，７０，８０，９０の各構成を組み合わせて計測装置を構成してもよい。たとえば、過電圧検出手段９１を検出装置５０，６０，７０，８０に設けてもよい。また検出信号生成手段は、アナログデジタル変換手段２４に限らない。
【手続補正３７】
【補正対象書類名】明細書
【補正対象項目名】００７３
【補正方法】変更
【補正の内容】
【００７３】
【図１】本発明の実施の一形態の検出装置２０を示す図である。
【図２】検出装置２０において制御部３１から第１スイッチ３２および第２スイッチ３３に与えられる指令である制御信号を示すタイミングチャートである。
【図３】本発明の実施の他の形態の検出装置５０の構成を示す図である。
【図４】本発明のさらに他の実施の形態の検出装置６０の構成を示す図である。
【図５】本発明のさらに他の実施の形態の検出装置７０の構成を示す図である。
【図６】本発明のさらに他の実施の形態の検出装置７０の構成を示す図である。
【図７】検出装置８０において制御部３１から第１スイッチ３２、第２スイッチ３３および第４スイッチ７２に与えられる指令である制御信号を示すタイミングチャートである。
【図８】本発明のさらに他の実施の形態における検出装置９０の構成を示す図である。
【図９】直流電圧を印加することによって動作する電気回路などの負荷１に流れる負荷電流Ｉｒの求め方ついて説明する図である。
【図１０】検出抵抗Ｒｓの両端部ａ，ｂ間の電位差ΔＶを測定する第１の従来の技術の測定装置２の構成を示す図である。
【図１１】検出抵抗Ｒｓの両端部ａ，ｂ間の電位差ΔＶを測定する第１の従来の技術の測定装置７の構成を示す図である。
【手続補正３８】
【補正対象書類名】明細書
【補正対象項目名】００７４
【補正方法】変更
【補正の内容】
【００７４】
２０，５０，６０，７０，８０，９０  検出装置
２１  第１接続位置
２２  第２接続位置
２３  コンデンサ
２４  アナログデジタル変換手段
２５，６１  切換手段
２６  基準端子
６２  第１選択接続手段
６３  第２選択接続手段
７１，８１  基準電位設定手段